(57)【要約】  モニタ装置とチューナボックス装置との２装置で構成された製品である画像再生システムであって、モニタ装置は、画像のデータの外部からの入力を受け付けて、該画像の映像信号を生成する画像受付部と、モニタ装置が入力を受け付けた画像の映像信号である第２の信号と第１の映像信号とから、制御信号により指定された映像信号を選択する選択部とを具備し、チューナボックス装置は、ユーザによる指示操作を受け付ける指示受付部と、第１の映像信号をモニタ装置に出力する画像出力インターフェース部と、指示受付部が、モニタ装置が入力を受け付けた画像の表示を指示する指示操作を受け付けると、モニタ装置の選択部に第２の映像信号の選択を指示する前記制御信号を出力する選択指示部とを具備することで、そのモニタ装置に画像データの入力インターフェースが設けられ、かつ、ユーザ操作が容易な画像再生システム。
2010023900.tif 000002
【特許請求の範囲】
【請求項１】
画像を表示するモニタ装置と、前記モニタ装置に接続され、前記モニタ装置に第１の映像信号を出力するチューナボックス装置とを備える画像再生システムにおいて、
前記モニタ装置は、
画像のデータの外部からの入力を受け付けて、該画像の映像信号である第２の映像信号を生成する画像受付部と、
前記チューナボックス装置から前記第１の映像信号の入力を受け付ける画像入力インターフェース部と、
前記第１の映像信号と前記第２の映像信号とから、制御信号により指定された映像信号を選択する選択部と、
前記選択部が選択した映像信号の画像を表示する表示部と
を具備し、
前記チューナボックス装置は、
ユーザによる指示操作を受け付ける指示受付部と、
第１の映像信号を前記モニタ装置に出力する画像出力インターフェース部と、
前記指示受付部が、前記モニタ装置が受け付けた画像の表示を指示する指示操作を受け付けると、前記モニタ装置の選択部に前記第２の映像信号の選択を指示する前記制御信号を出力する選択指示部と
を具備することを特徴とする画像再生システム。
【請求項２】
前記チューナボックス装置は、
前記指示操作に基づき、前記指示操作の選択候補を表示するメニュー画像のデータを生成するメニュー生成部と、
前記メニュー生成部が前記メニュー画像のデータを生成したときは、入力された映像信号と前記メニュー画像とを合成することで前記第１の映像信号を生成して出力し、前記メニュー画像のデータを生成していないときは、入力された映像信号を前記第１の映像信号として出力する画像合成部と
を具備し、
前記画像出力インターフェース部は、前記画像合成部が出力した前記第１の映像信号を前記モニタ装置に出力し、
前記選択指示部は、前記モニタ装置の選択部が前記第２の映像信号を選択しているときに、前記指示受付部が前記メニュー画像の表示を指示する指示操作を受け付けると、前記モニタ装置の選択部に前記第１の映像信号の選択を指示する前記制御信号を出力すること
を特徴とする請求項１に記載の画像再生システム。
【請求項３】
前記指示受付部は、前記メニュー画像中のメニュー項目のうち、前記第２の映像信号に対応するメニュー項目については、該メニュー項目の画面へ遷移する指示操作を受け付けると、前記モニタ装置の選択部に前記第２の映像信号の選択を指示する前記制御信号を、前記選択指示部が出力するように制御すること、
を特徴とする請求項２に記載の映像再生システム。
【請求項４】
前記画像合成部は、前記メニュー画像中のメニュー項目のうち、前記第２の映像信号に対応するメニュー項目を選択する指示操作を前記指示受付部が受け付けると、前記メニュー画像と予め設定された画像とが合成された画像の信号を前記第１の映像信号として出力することを特徴とする請求項２に記載の映像再生システム。
【請求項５】
前記画像入力インターフェース部は、赤外線通信によりデータを入力するためのインターフェースであることを特徴とする請求項１に記載の画像再生システム。
【請求項６】
前記画像入力インターフェース部は、メモリ媒体によりデータを入力するためのインターフェースであることを特徴とする請求項１記載の画像再生システム。
【請求項７】
前記チューナボックス装置の画像出力インターフェース部は、前記モニタ装置の画像入力インターフェース部に非圧縮画像出力用のインターフェースで接続され、
前記制御信号は、前記非圧縮画像出力用のインターフェースを介して、前記チューナボックス装置から前記モニタ装置に出力されること
を特徴とする請求項１に記載の画像再生システム。
【請求項８】
前記モニタ装置は、ユーザが遠隔操作装置に入力した指示操作を表す信号を受信する指示受信部を備え、
前記チューナボックス装置の指示受付部は、前記指示受信部が受信した指示操作を表す信号を、前記非圧縮画像出力用インターフェースを介して受け付けること
を特徴とする請求項７に記載の画像再生システム。
【請求項９】
前記指示受付部は、前記モニタ装置の選択部が前記第２の映像信号を選択しているときに、前記指示操作を受け付けると、該指示操作を表す信号を、前記非圧縮画像出力用インターフェースを介して前記モニタ装置に出力し、
前記モニタ装置の画像受付部は、前記非圧縮画像出力用インターフェースを介して前記指示操作を表す信号を受け付けて、該指示操作に従い動作すること
を特徴とする請求項８に記載の画像再生システム。
【請求項１０】
前記チューナボックス装置は、前記モニタ装置の選択部が前記第２の映像信号を選択しているときは、不必要な機能を休止させて消費電力を抑える省電力モードになることを特徴とする請求項１に記載の画像再生システム。
【請求項１１】
画像を表示するモニタ装置と、前記モニタ装置に接続され、前記モニタ装置に第１の映像信号を出力するチューナボックス装置とを備える画像再生システムにおける表示画像切替方法において、
前記チューナボックス装置が、前記第１の映像信号を前記モニタ装置に出力する第１の過程と、
前記モニタ装置が、前記チューナボックス装置から前記第１の映像信号の入力を受け付ける第２の過程と、
前記モニタ装置が、前記第１の映像信号の画像を表示する第３の過程と
前記チューナボックス装置が、ユーザによる指示操作であって、前記モニタ装置が入力を受け付けた画像の表示を指示する指示操作を受け付ける第４の過程と、
前記チューナボックス装置が、前記モニタ装置に前記モニタ装置が入力を受け付けた画像の映像信号である第２の映像信号の選択を指示する制御信号を出力する第５の過程と、
前記モニタ装置が、画像のデータの外部からの入力を受け付けて、該画像の第２の映像信号を生成する第６の過程と、
前記モニタ装置が、前記第５の過程にて出力された制御信号を受けて、前記第１の映像信号と前記第２の映像信号とから、前記第２の映像信号を選択し、出力する第７の過程と、
前記モニタ装置が、前記第７の過程にて選択した第２の映像信号の画像を表示する第８の過程と
を備えることを特徴とする表示画像切替方法。
【請求項１２】
画像のデータの外部からの入力を受け付けて、該画像の映像信号である第２の映像信号を生成する画像受付部と、
当該装置に接続されたチューナボックス装置から第１の映像信号の入力を受け付ける画像入力インターフェース部と、
前記第１の映像信号と前記第２の映像信号との中から、前記チューナボックス装置からの制御信号により指定された映像信号を選択する選択部と、
前記選択部が選択した映像信号の画像を表示する表示部と
を具備することを特徴とするモニタ装置。
【請求項１３】
画像を表示するモニタ装置に接続され、前記モニタ装置に第１の映像信号を出力するチューナボックス装置であって、
ユーザによる指示操作を受け付ける指示受付部と、
第１の映像信号を前記モニタ装置に出力する画像出力インターフェース部と、
前記指示受付部が、前記モニタ装置が受け付けた画像の表示を指示する指示操作を受け付けると、前記モニタ装置に前記受け付けた画像の映像信号の選択を指示する制御信号を出力する選択指示部と
を具備することを特徴とするチューナボックス装置。
【発明の詳細な説明】
【技術分野】
【０００１】
本発明は、画像再生システム、表示画像切替方法、モニタ装置およびチューナボックス装置に関する。
本願は、２００８年８月２８日に、日本に出願された特願２００８−２１９７４８号に基づき優先権を主張し、その内容をここに援用する。
【背景技術】
【０００２】
従来のテレビジョン受像機は、赤外線インターフェースを備え、その赤外線インターフェースに向けて携帯電話端末やデジタルカメラなどが送信した画像データなどを受信し、表示している（例えば、特許文献１参照）。また、メモリカードスロットを備え、そのメモリカードスロットに挿入されたメモリカードから読み出した画像データを表示しているものもある。
一方、液晶パネルなどを表示パネルに用いたテレビジョン受像機では、入力された映像信号を表示パネルに表示するモニタ装置と、放送波を受信するなどして得た映像信号のうち、ユーザ操作により指定されたものを、ＨＤＭＩ（登録商標）（Ｈｉｇｈ−Ｄｆｉｎｉｔｉｏｎ  Ｍｕｌｔｉｍｅｄｉａ  Ｉｎｔｅｒｆａｃｅ；高品位マルチメディアインターフェース）ケーブルあるいはＨＤＭＩ（登録商標）インターフェースに準拠した無線で接続されたモニタ装置に送信するチューナボックス装置との２装置で構成された製品とすることで、より壁掛けなどが容易にできるようにモニタ装置の薄型化および軽量化を図っているものもある。
【先行技術文献】
【特許文献】
【０００３】
【特許文献１】特許第４０９１０９５号公報
【発明の概要】
【発明が解決しようとする課題】
【０００４】
しかしながら、上述のようなモニタ装置とチューナボックス装置との２装置で構成された製品であるテレビジョン受像システムのチューナボックス装置に、上述のような赤外線インターフェースやメモリスロットなどの画像データの入力インターフェースを設けると、ユーザの視界内にあるモニタ装置ではなくチューナボックス装置に対して操作する必要がある。通常、チューナボックス装置はモニタ装置から離れた場所あるいはユーザから見えない場所に設置されていることが多く、このような場合、赤外線が届きにくい、メモリカードが挿入できないなどユーザ操作が煩雑になるという問題がある。【０００５】
本発明は、このような事情に鑑みてなされたもので、その目的は、モニタ装置とチューナボックス装置との２装置で構成された製品である画像再生システムであって、モニタ装置に画像データの入力インターフェースが設けられ、かつ、ユーザ操作が容易な画像再生システム、表示画像切替方法、モニタ装置およびチューナボックス装置を提供することにある。
【課題を解決するための手段】
【０００６】
（１）この発明は上述した課題を解決するためになされたもので、本発明の画像再生システムは、画像を表示するモニタ装置と、前記モニタ装置に接続され、前記モニタ装置に第１の映像信号を出力するチューナボックス装置とを備える画像再生システムにおいて、前記モニタ装置は、画像のデータの外部からの入力を受け付けて、該画像の映像信号である第２の映像信号を生成する画像受付部と、前記チューナボックス装置から前記第１の映像信号の入力を受け付ける画像入力インターフェース部と、前記第１の映像信号と前記第２の映像信号とから、制御信号により指定された映像信号を選択する選択部と、前記選択部が選択した映像信号の画像を表示する表示部とを具備し、前記チューナボックス装置は、ユーザによる指示操作を受け付ける指示受付部と、第１の映像信号を前記モニタ装置に出力する画像出力インターフェース部と、前記指示受付部が、前記モニタ装置が受け付けた画像の表示を指示する指示操作を受け付けると、前記モニタ装置の選択部に前記第２の映像信号の選択を指示する前記制御信号を出力する選択指示部と、を具備することを特徴とする。【０００７】
（２）また、本発明の画像再生システムは、上述の画像再生システムであって、前記チューナボックス装置は、前記指示操作に基づき、前記指示操作の選択候補を表示するメニュー画像のデータを生成するメニュー生成部と、前記メニュー生成部が前記メニュー画像のデータを生成したときは、入力された映像信号と前記メニュー画像とを合成することで前記第１の映像信号を生成して出力し、前記メニュー画像のデータを生成していないときは、入力された映像信号を前記第１の映像信号として出力する画像合成部とを具備し、前記画像出力インターフェース部は、前記画像合成部が出力した前記第１の映像信号を前記モニタ装置に出力し、前記選択指示部は、前記モニタ装置の選択部が前記第２の映像信号を選択しているときに、前記指示受付部が前記メニュー画像の表示を指示する指示操作を受け付けると、前記モニタ装置の選択部に前記第１の映像信号の選択を指示する前記制御信号を出力することを特徴とする。【０００８】
（３）また、本発明の画像再生システムは、上述の画像再生システムであって、前記指示受付部は、前記メニュー画像中のメニュー項目のうち、前記第２の映像信号に対応するメニュー項目については、該メニュー項目の画面へ遷移する指示操作を受け付けると、前記モニタ装置の選択部に前記第２の映像信号の選択を指示する前記制御信号を、前記選択指示部が出力するように制御すること、を特徴とする。【０００９】
（４）また、本発明の画像再生システムは、上述の画像再生システムであって、前記画像合成部は、前記メニュー画像中のメニュー項目のうち、前記第２の映像信号に対応するメニュー項目を選択する指示操作を前記指示受付部が受け付けると、前記メニュー画像と予め設定された画像とが合成された画像の信号を前記第１の映像信号として出力することを特徴とする。【００１０】
（５）また、本発明の画像再生システムは、上述の画像再生システムであって、前記画像入力インターフェース部は、赤外線通信によりデータを入力するためのインターフェースであることを特徴とする。【００１１】
（６）また、本発明の画像再生システムは、上述の画像再生システムであって、前記画像入力インターフェース部は、メモリ媒体によりデータを入力するためのインターフェースであることを特徴とする。【００１２】
（７）また、本発明の画像再生システムは、上述の画像再生システムであって、前記チューナボックス装置の画像出力インターフェース部は、前記モニタ装置の画像入力インターフェース部に非圧縮画像出力用のインターフェースで接続され、前記制御信号は、前記非圧縮画像出力用のインターフェースを介して、前記チューナボックス装置から前記モニタ装置に出力されることを特徴とする。【００１３】
（８）また、本発明の画像再生システムは、上述の画像再生システムであって、前記モニタ装置は、ユーザが遠隔操作装置に入力した指示操作を表す信号を受信する指示受信部を備え、前記チューナボックス装置の指示受付部は、前記指示受信部が受信した指示操作を表す信号を、前記非圧縮画像出力用インターフェースを介して受け付けることを特徴とする。【００１４】
（９）また、本発明の画像再生システムは、上述の画像再生システムであって、前記指示受付部は、前記モニタ装置の選択部が前記第２の映像信号を選択しているときに、前記指示操作を受け付けると、該指示操作を表す信号を、前記非圧縮画像出力用インターフェースを介して前記モニタ装置に出力し、前記モニタ装置の画像受付部は、前記非圧縮画像出力用インターフェースを介して前記指示操作を表す信号を受け付けて、該指示操作に従い動作することを特徴とする。【００１５】
（１０）また、本発明の画像再生システムは、上述の画像再生システムであって、前記チューナボックス装置は、前記モニタ装置の選択部が前記第２の映像信号を選択しているときは、不必要な機能を休止させて消費電力を抑える省電力モードになることを特徴とする。【００１６】
（１１）また、本発明の表示画像切替方法は、画像を表示するモニタ装置と、前記モニタ装置に接続され、前記モニタ装置に第１の映像信号を出力するチューナボックス装置とを備える画像再生システムにおける表示画像切替方法において、前記チューナボックス装置が、前記第１の映像信号を前記モニタ装置に出力する第１の過程と、前記モニタ装置が、前記チューナボックス装置から前記第１の映像信号の入力を受け付ける第２の過程と、前記モニタ装置が、前記第１の映像信号の画像を表示する第３の過程と前記チューナボックス装置が、ユーザによる指示操作であって、前記モニタ装置が入力を受け付けた画像の表示を指示する指示操作を受け付ける第４の過程と、前記チューナボックス装置が、前記モニタ装置に前記モニタ装置が入力を受け付けた画像の映像信号である第２の映像信号の選択を指示する制御信号を出力する第５の過程と、前記モニタ装置が、画像のデータの外部からの入力を受け付けて、該画像の第２の映像信号を生成する第６の過程と、前記モニタ装置が、前記第５の過程にて出力された制御信号を受けて、前記第１の映像信号と前記第２の映像信号とから、前記第２の映像信号を選択し、出力する第７の過程と、前記モニタ装置が、前記第７の過程にて選択した第２の映像信号の画像を表示する第８の過程とを備えることを特徴とする。【００１７】
（１２）また、本発明のモニタ装置は、画像のデータの外部からの入力を受け付けて、該画像の映像信号である第２の映像信号を生成する画像受付部と、当該装置に接続されたチューナボックス装置から前記第１の映像信号の入力を受け付ける画像入力インターフェース部と、前記第１の映像信号と前記第２の映像信号との中から、前記チューナボックス装置からの制御信号により指定された映像信号を選択する選択部と、前記選択部が選択した映像信号の画像を表示する表示部とを具備することを特徴とする。【００１８】
（１３）また、本発明のチューナボックス装置は、画像を表示するモニタ装置に接続され、前記モニタ装置に第１の映像信号を出力するチューナボックス装置であって、ユーザによる指示操作を受け付ける指示受付部と、第１の映像信号を前記モニタ装置に出力する画像出力インターフェース部と、前記指示受付部が、前記モニタ装置が受け付けた画像の表示を指示する指示操作を受け付けると、前記モニタ装置に前記受け付けた画像の映像信号の選択を指示する制御信号を出力する選択指示部とを具備することを特徴とする。
【発明の効果】
【００１９】
この発明によれば、指示受付部が、モニタ装置が受け付けた画像の表示を指示する指示操作を受け付けると、選択指示部がモニタ装置の選択部にモニタ装置が受け付けた画像の映像信号の選択を指示する前記制御信号を出力するので、モニタ装置とチューナボックス装置との２装置で構成された製品である画像再生システムのモニタ装置に、画像データの入力インターフェースを設けることができる。
さらに、チューナボックス装置がモニタ装置から離れた場所あるいはユーザから見えない場所に設置されている場合でも、ユーザは装置が分離されていることを意識せず簡単に操作することができる。
さらにこの発明によれば、全世界共通な前記第２の映像信号を生成する画像受付部をモニタ装置に、国や地域により映像信号フォーマットや放送周波数の異なる前記第１の映像信号を処理する部分をチューナボックス装置にそれぞれ集約することができ、様々な地域に対応した映像再生システムの開発コストや生産コストを削減することができる。
さらにこの発明によれば、チューナボックス装置からモニタ装置に最低限送るべき制御信号は前記選択を指示する制御信号だけであるため、高速な制御信号線を持たない汎用的な画像出力用インターフェースを用いて分離された映像再生システムを構成することができ、安価、かつ接続ケーブルの入手性に優れた映像再生システムを実現できる。
さらにこの発明によれば、モニタ装置が前記第２の映像信号を選択しているときにはチューナボックスの消費電力を押さえることができ、省エネルギー性に優れた映像再生システムを実現できる。
【図面の簡単な説明】
【００２０】
【図１】この発明の一実施形態によるテレビジョン受像システムの構成を示す概略ブロック図である。
【図２】同実施形態における画像合成部５５が合成した画像の一例を示す図である。
【図３】同実施形態における画像合成部５５が合成した画像の別の例を示す図である。
【図４】同実施形態における静止画像生成部２７が生成した静止画像の例を示す図である。
【図５】同実施形態によるテレビジョン受像システムの動作を説明するフローチャートである。
【図６】同実施形態によるステップＳａ３の処理内容を説明するフローチャートである。
【図７】同実施形態におけるテレビジョン受像システムのハード構成を示す概略ブロック図である。
【発明を実施するための形態】
【００２１】
以下、図面を参照して、本発明の実施の形態について説明する。図１は、この発明の一実施形態によるテレビジョン受像システム（画像再生システム）の構成を示す概略ブロック図である。本実施形態によるテレビジョン受像システムは、モニタ装置２０とチューナボックス装置５０とを備える。モニタ装置２０は、表示部２１、選択部２２、静止画像受付部２３、映像Ｉ／Ｆ部２４、リモコン受信部２５、メニュー生成部２８、画像合成部２９を備える。
【００２２】
静止画像受付部２３（画像受付部）は、ＪＰＥＧ（Ｊｏｉｎｇ  Ｐｈｏｔｏｇｒａｐｈｉｃ  Ｅｘｐｅｒｔｓ  Ｇｒｏｕｐ）ファイルなどの静止画像のデータの入力を、デジタルカメラ１０などの外部から受け付けて記憶し、該静止画の映像信号（第２の映像信号）を生成する。また、静止画像受付部２３は、映像Ｉ／Ｆ部５４および映像Ｉ／Ｆ部２４を介して指示受付部５９からの指示操作の信号を受け付けて、受け付けた信号の指示操作に従い動作する。この指示操作の信号は、各々は後述するリモコン３０、４０に設けられた十字方向、決定、戻るなどの各ボタンに対応しているが、その指示操作の組合せにより、映像信号を生成する静止画像の選択、静止画像の回転、拡大、縮小などの動作を指示する。なお、リモコン３０、４０は、上述の十字方向、決定、戻るなどの各ボタンが押されると、押されたボタンに対応した信号（リモコン３０は赤外線による信号、リモコン４０は電波による信号）を送出する。
【００２３】
本実施形態では、静止画像受付部２３は、赤外線受光部２６と、静止画像生成部２７とを備える。赤外線受光部２６は、外部、すなわちデジタルカメラ１０など静止画像のデータを保持している装置から、ＩｒＳＳ（ＩｒＳｉｍｐｌｅＳｈｏｔ；高速赤外線通信）方式により送信された静止画像のデータを受信する。なお、ＩｒＳＳ方式に限らず、他の方式による赤外線通信であってもよいし、電波などの他の媒体を用いた通信であってもよい。また、赤外線受光部２６の代わりに、ＳＤメモリカードなどのメモリカード用スロットなど記憶媒体とのインターフェースを具備し、該インターフェースに接続された記憶媒体から静止画像のデータを読み出すようにしてもよい。
【００２４】
静止画像生成部２７は、赤外線受光部２６が受信した静止画像のデータを記憶し、該データを表示部２１で表示可能な解像度の静止画像の映像信号に変換する。なお、受信した静止画像のデータが圧縮されている場合は、静止画像生成部２７は、そのデータを伸長して非圧縮のデータに変換したのち、表示部２１で表示可能な映像信号に変換する。また、静止画像生成部２７は、静止画像受付部２３が映像Ｉ／Ｆ部２４を介して受け付けた信号が表す指示操作に従い、映像信号を生成する静止画像の選択、静止画像の回転、拡大、縮小などの動作をする。
このように、本実施例の構成によれば赤外線受光部２６をユーザの目の前に設置するモニタ装置２０に設けることができる。さらに赤外線受光部２６で受信した静止画像の処理はそのほとんどがモニタ装置２０内で完結するため、赤外線受光部２６で受信する静止画像のフォーマットが世界共通であれば、このモニタ装置２０は様々な地域でそのまま利用することができる。さらに、受信した静止画像データをチューナボックス装置５０に転送する必要がない。
【００２５】
映像Ｉ／Ｆ部２４（画像入力インターフェース部）は、ＨＤＭＩ（登録商標）ケーブルで接続されたチューナボックス装置５０から動画像の映像信号（第１の映像信号）の入力を受け付ける。また、映像Ｉ／Ｆ部２４は、後述する選択部２２への制御信号、後述するメニュー生成部２８への制御信号、および、後述する静止画像生成部２７への指示操作の信号をチューナボックス装置５０から受けて、対応する各部に出力する。
また、映像Ｉ／Ｆ部２４は、後述するリモコン受信部２５が出力した指示操作の信号、および、後述する選択部２２が出力した制御信号を受けて、チューナボックス装置５０の映像Ｉ／Ｆ部５４に出力する。
【００２６】
選択部２２は、静止画像生成部２７が変換した静止画像の映像信号と映像Ｉ／Ｆ部２４が受け付けた動画像の映像信号とから、映像Ｉ／Ｆ部２４がチューナボックス装置５０から受けた制御信号により指定された映像信号を選択する。
また、選択部２２は、静止画像の映像信号を選択したとき、チューナボックス装置５０に不必要な機能を休止させる制御信号を、映像Ｉ／Ｆ部２４へ出力する。なお、この制御信号を受信したチューナボックス装置５０は、不必要な機能を休止し、消費電力を抑える省電力モードになる。これにより、選択部２２が静止画像の映像信号を選択しているときは、チューナボックス装置５０は省電力モードとなり、消費電力を削減することができる。
【００２７】
メニュー生成部２８は、映像Ｉ／Ｆ部２４がチューナボックス装置５０から受けた制御信号に基づき、メニュー画像のデータを生成する。
例えば、メニュー生成部２８は、チューナボックス装置５０から受けた制御信号が静止画像を選択していることを示す制御信号である場合、静止画像に合成するメニュー画像（例えば、図４のボタンＢ５〜Ｂ７）を生成する。
【００２８】
画像合成部２９は、メニュー生成部２８がメニュー画像のデータを生成したときは、選択部２２から入力された映像信号の画像に、メニュー生成部２８が生成したメニュー画像を重ねた、すなわち合成した画像の映像信号を生成し、表示部２１に出力する。
【００２９】
表示部２１は、表示用の液晶パネルなどを備え、画像合成部２９から入力された映像信号を受けて、該映像信号による映像を表示する。なお、映像信号には、音声信号も含まれている。表示部２１は、スピーカなどを備え、映像信号を受けると、その映像を表示するとともに、含まれている音声信号に基づき、音声も出力する。リモコン受信部（指示受信部）２５は、リモコン（リモートコントローラ、遠隔操作装置）３０が赤外線により発信したリモコン信号を受信し、該リモコン信号が表す指示操作の信号を映像Ｉ／Ｆ部２４に出力する。なお、リモコン３０は、ユーザがリモコン３０に入力した指示操作を表すリモコン信号を発信する。ここで、指示操作は、リモコン３０に設けられた各ボタンに一対一で対応していてもよいし、複数のボタンが押された結果を表すものであってもよい。
【００３０】
チューナボックス装置５０は、ブラウザ５１、チューナ部５２、外部入力部５３、映像Ｉ／Ｆ部５４、画像合成部５５、選択部５６、選択指示部５７、メニュー生成部５８、指示受付部５９、リモコン受信部６０を備える。ブラウザ５１は、チューナボックス装置５０が接続されたインターネット７０などのネットワークを介して、ＷＥＢサーバからＷＥＢページのデータを取得し、該ＷＥＢページを表示する映像信号を生成し、出力するＷＥＢブラウザである。チューナ部５２は、チューナボックス装置５０が接続されたテレビアンテナ８０を介して受信した、例えば、地上デジタル放送などの放送波を復調して映像信号を生成し、出力する。外部入力部５３は、チューナボックス装置５０が接続されたＤＶＤ（Ｄｉｇｉｔａｌ  Ｖｅｒｓａｔｉｌｅ  Ｄｉｓｃ；デジタル多用途ディスク）プレーヤ９０が出力した映像信号を受け付けて、出力する。なお、ＤＶＤプレーヤに限らずＢＤ（Ｂｌｕ−ｒａｙ Ｄｉｓｃ；ブルーレイディスク）プレーヤなど他の映像出力装置であっても同様である。
【００３１】
映像Ｉ／Ｆ部（画像出力インターフェース部）５４は、画像合成部５５が出力した動画像の映像信号を、ＨＤＭＩ（登録商標）ケーブルを介してモニタ装置２０に出力する。また、映像Ｉ／Ｆ部５４は、後述する選択指示部５７が出力するモニタ装置２０の選択部２２への制御信号、および、メニュー生成部２８への制御信号を受けて、モニタ装置２０の映像Ｉ／Ｆ部２４に出力する。また、映像Ｉ／Ｆ部５４は、後述する指示受付部５９が出力するモニタ装置２０の静止画像生成部２７への指示操作を表す信号を受けて、モニタ装置２０の映像Ｉ／Ｆ部２４に出力する。さらに、映像Ｉ／Ｆ部５４は、モニタ装置２０のリモコン受信部２５が出力する指示操作の信号を映像Ｉ／Ｆ部２４から受けて、指示受付部５９に出力する。
【００３２】
なお、映像Ｉ／Ｆ部５４とモニタ装置２０の映像Ｉ／Ｆ部２４とを接続するインターフェースであるＨＤＭＩ（登録商標）は、映像Ｉ／Ｆ部５４側から非圧縮動画像の映像信号を出力することを主目的とするインターフェース（非圧縮画像出力用インターフェース）であるが、さらにＣＥＣ（Ｃｏｎｓｕｍｅｒ  Ｅｌｅｃｔｒｏｎｉｃｓ  Ｃｏｎｔｒｏｌ；家電制御）と呼ばれる制御用の信号を双方向に伝送する回線を備えている。本実施形態では、上述の制御信号および指示操作の信号を、このＣＥＣを用いて伝送する。なお、このＣＥＣは帯域が狭いため、モニタ装置で受けた映像信号をチューナボックスへ送信して一元管理するといった目的には使えない。
【００３３】
画像合成部５５は、メニュー生成部５８がメニュー画像のデータを生成したときは、選択部５６から入力された映像信号の動画像に、メニュー生成部５８が生成したメニュー画像を重ねた、すなわち合成した動画像の映像信号を生成し、映像Ｉ／Ｆ部５４に出力する。メニュー画像を生成していないときは、画像合成部５５は、選択部５６から受けた動画像の映像信号をそのまま映像Ｉ／Ｆ部５４に出力する。選択部５６は、ブラウザ５１とチューナ部５２と外部入力部５３とのうち、指示受付部５９から指示されたものから動画像の映像信号を取得して、画像合成部５５に出力する。
【００３４】
選択指示部５７は、指示受付部５９が、モニタ装置２０が受け付けた静止画像の表示を指示する指示操作を受け付けると、モニタ装置２０の選択部２２に静止画像の映像信号の選択を指示する制御信号、および、メニュー生成部２８に静止画像に合成するメニュー画像の生成を指示する制御信号を、映像Ｉ／Ｆ部５４に出力する。
また、選択指示部５７は、モニタ装置２０の選択部２２が静止画像の映像信号を選択しているときに、指示受付部５９がメニュー画像の表示を指示する指示操作を受け付けると、モニタ装置２０の選択部２２に動画像の映像信号の選択を指示する制御信号を出力する。
【００３５】
メニュー生成部５８は、指示受付部５９が受け付けた指示操作に基づき、指示操作の選択候補を表示するメニュー画像のデータを生成する。指示受付部５９は、ユーザによる指示操作を受け付ける。本実施形態では、指示受付部５９は、モニタ装置２０のリモコン受信部２５が受信した指示操作を表す信号を、ＨＤＭＩ（登録商標）インターフェースを介して、すなわち映像Ｉ／Ｆ部２４と映像Ｉ／Ｆ部５４を介して受け付けるとともに、チューナボックス装置５０のリモコン受信部６０が受信した指示操作を表す信号も受け付ける。
【００３６】
また、指示受付部５９は、モニタ装置２０の選択部２２が静止画像の映像信号を選択しているときに、指示操作を受け付けると、この指示操作を表す信号を、ＨＤＭＩ（登録商標）インターフェースを介して、すなわち映像Ｉ／Ｆ部２４と映像Ｉ／Ｆ部５４を介してモニタ装置２０に出力する。なお、指示受付部５９は、選択部２２が動画像と静止画像とのどちらを選択しているかを記憶し、該記憶に従うようにしてもよいし、選択部２２にＨＤＭＩ（登録商標）インターフェースを介して問い合わせるようにしてもよい。あるいは、選択部２２の選択内容にかかわらず、受け付けた指示操作を表す信号を、ＨＤＭＩ（登録商標）インターフェースを介して、すなわち映像Ｉ／Ｆ部２４と映像Ｉ／Ｆ部５４を介してモニタ装置２０に出力するようにしてもよい。
【００３７】
リモコン受信部６０は、リモコン（リモートコントローラ、遠隔操作装置）４０が無線発信したリモコン信号を受信し、該リモコン信号が表す指示操作の信号を指示受付部５９に出力する。なお、本実施形態では、モニタ装置２０のリモコン受信部２５は、赤外線により伝送されたリモコン信号を受信し、チューナボックス装置５０のリモコン受信部６０は無線（電波）により伝送されたリモコン信号を受信する。なお、リモコン４０は、ユーザがリモコン４０に入力した指示操作を表すリモコン信号を発信する。さらに、リモコン４０は、表示画面を備え、チューナボックス装置５０から、例えば地上デジタル放送の番組表のデータを受信し、該番組表を表示するようにしてもよい。ここで、指示操作は、リモコン４０に設けられた各ボタンに一対一で対応していてもよいし、複数のボタンが押された結果を表すものであってもよい。
【００３８】
図２は、画像合成部５５が合成した画像の一例を示す図である。図２に示す画像Ｇ１は、動画像に、モニタ装置２０に表示させる画像を選択する入力切替メニューの画像を合成した画像である。表示させる画像の候補として、チューナ部５２からの映像信号を選択するボタンＢ１、ＤＶＤプレーヤ９０が接続された外部入力部５３からの映像信号を選択するボタンＢ２、インターネット７０が接続されたブラウザ５１からの映像信号を選択するボタンＢ３、赤外線受光部２６が受信した静止画像を選択するボタンＢ４が表示されている。図２に示す例では、ハッチングされているボタンＢ２にフォーカスがある。
【００３９】
ユーザが、リモコン３０または４０の上下方向ボタンを押して、これらボタンＢ１〜Ｂ４のいずれかにフォーカスを移動させると、指示受付部５９からの指示に従い、フォーカスの位置に応じた映像信号を、選択部５６が選択する。したがって、画像Ｇ１は、フォーカスがあるボタンに対応した映像に、メニュー画像が合成されたものとなる。なお、ボタンＢ４にフォーカスがあるときについては、図３を用いて説明する。さらに、ユーザがリモコン３０または４０の決定ボタンを押すと、メニュー生成部５８は入力切替メニューの画像の生成をしなくなり、メニュー画像が消えて、決定ボタンを押したときにフォーカスがあったボタンに対応する映像を視聴することができる。なお、メニューの項目はユーザが変更できることが望ましい。また、入力切換メニューが表示されている状態で、決定ボタンではなく、キャンセルボタンが押された場合は、入力切換メニューを表示する前の入力状態に復帰させることが望ましい。
【００４０】
図３は、画像合成部５５が合成した画像の別の例を示す図である。図３に示す画像Ｇ２では、フォーカスが入力切替メニューのボタンＢ４にある。選択部５６には、フォーカスがあるボタンＢ４に対応する画像、すなわち赤外線受光部２６が受信した静止画像の映像信号は入力されないため、画像Ｇ２のうち、図３で斜線のハッチングで表す領域が、無地（黒画面）となっている。なお、このハッチングで表す領域には、予めチューナボックス装置５０のメニュー生成部５８が記憶している画像や操作方法を示す文章などを表示するようにしてもよい。
この画像Ｇ２を表示している状態で、ユーザがリモコン３０または４０の決定ボタンを押すと、選択指示部５７が静止画像を選択させる制御信号を出力し、その制御信号を受けたモニタ装置２０の選択部２２が、静止画像生成部２７からの静止画像の映像信号を選択して、表示部２１の表示が静止画像に切り替わる（図４参照）。なお、モニタ装置２０の選択部２２が静止画像の映像信号を選択した時点で、モニタ装置２０の赤外線受光部２６に静止画像のデータが送信されていない場合、静止画像生成部２７は、静止画像のデータの受信待ちであることを示す待受け画面を生成し、表示部２１には、該待受け画面が表示される。
【００４１】
図４は、静止画像生成部２７が生成した静止画像の例を示す図である。図４に示す画像Ｇ３には、赤外線受光部２６が受信したデータの静止画像に、表示する静止画像を選択するためのボタンＢ６、Ｂ７と、図３に示した画像Ｇ２のような入力切替メニューを表示させるためのボタンＢ５とがある。なお、本実施形態では、入力切替メニューを表示させるためのボタンＢ５を画像Ｇ３にて表示させるようにしたが、このボタンＢ５は表示させず、リモコン３０、４０に入力切替メニューを表示させる専用のボタンを設けてもよい。また、入力切替メニューを表示させるボタンをリモコン３０、４０が備え、かつ、画像Ｇ３にて表示させるようにしてもよい。これらのボタン表示はモニタ装置のメニュー生成部で生成する。
【００４２】
図５は、本実施形態によるテレビジョン受像システムの動作を説明するフローチャートである。まず、ステップＳａ１では、モニタ装置２０およびチューナボックス装置５０の電源を入れると、チューナボックス装置５０は自装置内、例えばメニュー生成部５８に記憶している電源断前の状態を取得する。この電源断前の状態には、そのとき表示していた画像の入力元を示す情報が含まれており、指示受付部５９は、その情報を取得し、以下で取得した入力元の画像を表示させる動作をする。
【００４３】
次にステップＳａ２では、指示受付部５９は、表示させる画像の入力元が赤外線受光部２６か否かを判定する。赤外線受光部２６であると判定したときは、ステップＳａ３に遷移し、赤外線受光部２６が受信し、静止画像生成部２７に記憶したデータの静止画像を表示部２１に表示させる静止画像表示処理を行い、該処理が終了するとステップＳａ１０に遷移する。なお、ステップＳａ３の静止画像の表示処理の詳細については、図６を用いて後述する。一方、ステップＳａ２にて赤外線受光部２６でないと判定したときは、ステップＳａ４に遷移する。
【００４４】
ステップＳａ４では、指示受付部５９が、表示させる画像の入力元がチューナ部５２であるか否かを判定する。チューナ部５２であると判定したときは、ステップＳａ５に遷移し、指示受付部５９は、選択部５６を切替させてチューナ部５２が出力する映像信号を表示部２１に表示させる放送波受信表示処理を行う。そして、入力切替メニュー表示の指示操作を指示受付部５９が受けて、該表示処理が終了するとステップＳａ１０に遷移する。
一方、ステップＳａ４にてチューナ部５２でないと判定したときは、ステップＳａ６に遷移する。
【００４５】
ステップＳａ６では、指示受付部５９が、表示させる画像の入力元が外部入力部５３であるか否かを判定する。外部入力部５３であると判定したときは、ステップＳａ７に遷移し、指示受付部５９は、選択部５６を切替させて外部入力部５３が出力するＤＶＤプレーヤ９０の映像信号を表示部２１に表示させるＤＶＤ表示処理を行う。そして、入力切替メニュー表示の指示操作を指示受付部５９が受けて、該表示処理が終了するとステップＳａ１０に遷移する。一方、ステップＳａ６にて外部入力部５３でないと判定したときは、ステップＳａ８に遷移する。
【００４６】
ステップＳａ８では、指示受付部５９が、表示させる画像の入力元がブラウザ５１であるか否かを判定する。ブラウザ５１であると判定したときは、ステップＳａ９に遷移し、指示受付部５９は、選択部５６を切替させてブラウザ５１が出力する映像信号を表示部２１に表示させるホームページ取得表示処理を行う。そして、入力切替メニュー表示の指示操作を指示受付部５９が受けて、該表示処理が終了するとステップＳａ１０に遷移する。
一方、ステップＳａ８にてブラウザ５１でないと判定したときも、ステップＳａ１０に遷移する。
【００４７】
ステップＳａ１０では、指示受付部５９から入力切替メニュー生成の指示を受けたメニュー生成部５８が、入力切替メニューが合成された画像を生成し、図２または図３に示したような画像を表示部２１は表示する。ここで、ステップＳａ１０に遷移する前がステップＳａ３、すなわち静止画像を表示部２１が表示していたときは、図３に示した画像Ｇ２のように入力切替メニューの背景は無地の画像であり、その他のステップ、すなわち静止画像以外を表示部２１が表示していたときは、図２に示した画像Ｇ１のように入力切替メニューの背景は表示していた動画像である。この入力切替メニューの画像は、画像合成部５５によって、選択部５６が出力する映像信号の動画像と合成され、映像Ｉ／Ｆ部５４を介し、モニタ装置２０に出力されて、モニタ装置２０の表示部２１に表示される。
【００４８】
次に、ステップＳａ１１では、ユーザがリモコン３０または４０を操作して、入力切替メニューに表示している選択候補の中から表示させる画像の入力元を選択した指示操作の信号を、リモコン受信部６０あるいはリモコン受信部２５と映像Ｉ／Ｆ部２４と映像Ｉ／Ｆ部５４とを介して指示受付部５９が受け付けて、再びステップＳａ２に遷移する。
【００４９】
図６は、図５のステップＳａ３の処理内容を説明するフローチャートである。ステップＳａ２で、指示受付部５９が、表示させる画像の入力元は赤外線受光部２６であると判定し、静止画像処理が開始されると、ステップＳｂ１にて、指示受付部５９の指示を受けて、選択指示部５７が静止画像の選択を指示する制御信号を映像Ｉ／Ｆ部５４に出力する。
映像Ｉ／Ｆ部５４、モニタ装置２０の映像Ｉ／Ｆ部２４を介して、この制御信号を受けた選択部２２は、静止画像生成部２７が生成した静止画像の映像信号を選択して、表示部２１に表示させる（Ｓｂ２）。次に、ユーザによる操作を受けてリモコン３０、４０が出力した指示操作の信号を、指示受付部５９が受け付ける（Ｓｂ３）。指示受付部５９は、受け付けた信号の指示操作が入力切替メニューの表示を指示する信号であるか否かを判定する（Ｓｂ４）。
【００５０】
ステップＳｂ４にて入力切替メニューの表示を指示する指示操作の信号であると判定したときは、ステップＳｂ５に遷移して、指示受付部５９の指示を受けて、選択指示部５７が動画像の選択を指示する制御信号を映像Ｉ／Ｆ部５４に出力する。映像Ｉ／Ｆ部５４、モニタ装置２０の映像Ｉ／Ｆ部２４を介して、この制御信号を受けた選択部２２は、映像Ｉ／Ｆ部２４がチューナボックス装置５０から受けた映像信号を選択して、表示部２１に表示させ（Ｓｂ６）、ステップＳａ３の静止画像表示処理を終了する。
【００５１】
一方、ステップＳｂ４にて入力切替メニューの表示を指示する指示操作の信号でないと判定したときは、ステップＳａ７に遷移し、指示受付部５９は、その指示操作の信号を映像Ｉ／Ｆ部５４、２４を介して、静止画像生成部２７に出力する。その指示操作の信号を受けた静止画像生成部２７は、その指示操作の信号が、表示する静止画像の変更を指示する信号であるか否かを判定する（Ｓｂ７）。表示する静止画像の変更を指示する信号であると判定したときは、ステップＳｂ８に遷移して、静止画像生成部２７は、赤外線受光部２６が受信したデータの中から、該信号に従い静止画像を選択し、該静止画像の映像信号を生成して選択部２２に出力する。選択部２２は、その映像信号を、画像合成部２９を介して表示部２１に出力して表示させる。一方、ステップＳｂ７にて、表示する静止画像の変更を指示する信号でないと判定したときは、ステップＳｂ３に戻って、指示受付部５９が、再び指示操作を受け付ける。
【００５２】
図７は、本実施形態におけるテレビジョン受像システムのハード構成を示す概略ブロック図である。同図において図１の各部に対応する部分には同一の符号（２０、２１、２４〜２６、５０、５２〜５４、６０、７０）を付け、その説明を省略する。図７に示すように、モニタ装置２０は、表示部２１と、映像Ｉ／Ｆ部２４と、リモコン受信部２５と、赤外線受光部２６と、フレームメモリ２０１、ＣＰＵ（Ｃｅｎｔｒａｌ  Ｐｒｏｃｅｓｓｉｎｇ  Ｕｎｉｔ；中央演算処理部）２３１と、ＲＡＭ（Ｒａｎｄｏｍ  Ａｃｃｅｓｓ  Ｍｅｍｏｒｙ）２３２と、不揮発性メモリ２３３とを備える。また、チューナボックス装置５０は、チューナ部５２と、外部入力部５３と、映像Ｉ／Ｆ部５４と、ＣＰＵ５０１と、ＲＡＭ５０２と、不揮発性メモリ５０３と、通信部５０４と、フレームメモリ５０５とを備える。不揮発性メモリ２３３および不揮発性メモリ５０３は、フラッシュメモリ、ＲＯＭ（Ｒｅａｄ  Ｏｎｌｙ  Ｍｅｍｏｒｙ）など、電源を切断されても記憶内容を保持することができるメモリである。
【００５３】
不揮発性メモリ２３３は、ＣＰＵ２３１を選択部２２、静止画像生成部２７、メニュー合成部２８、画像合成部２９として機能させるためのプログラムを格納している。ＣＰＵ２３１は、不揮発性メモリ２３３から読み出した該プログラムを、ＲＡＭ２３２を作業領域として用いて実行することで、選択部２２、静止画像生成部２７、メニュー合成部２８、画像合成部２９として機能する。また、映像Ｉ／Ｆ部２４は、チューナボックス装置５０から受けた動画像の映像信号を、フレームメモリ２０１に格納する。また、ＣＰＵ２３１が画像合成部２９として機能した際に出力する静止画像の映像信号もフレームメモリ２０１に格納される。そして、ＣＰＵ２３１が選択部２２として動作し、表示部２１に対して出力すべき映像信号がフレームメモリ２０１中の動画像の映像信号であるか静止画像の映像信号であるかを、表示部２１に指定する。
【００５４】
また、不揮発性メモリ５０３は、ＣＰＵ５０１をブラウザ５１、画像合成部５５、選択部５６、選択指示部５７、メニュー生成部５８、指示受付部５９として機能させるためのプログラムを格納している。ＣＰＵ５０１は、不揮発性メモリ５０３から読み出した該プログラムを、ＲＡＭ５０２を作業領域として用いて実行することで、ブラウザ５１、画像合成部５５、選択部５６、選択指示部５７、メニュー生成部５８、指示受付部５９として機能する。なお、ブラウザ５１の機能のうち、インターネット７０を介してサーバと通信する部分については、ＣＰＵ５０１ではなく通信部５０４が行う。また、ＣＰＵ５０１が画像合成部５５として機能した際に出力する動画像の映像信号はフレームメモリ５０５に格納され、映像Ｉ／Ｆ部５４がフレームメモリ５０５から読み出すことで、動画像の映像信号を取得する。
【００５５】
なお、本実施形態において、選択部２２は、チューナボックス装置５０からの制御信号に従い、静止画像の映像信号を選択していたが、静止画像受付部２３が静止画像のデータを受信したとき、あるいは、静止画像受付部２３がカード用スロットを備え、該カード用スロットへのカードの挿入を検出したときも、選択部２２に静止画像への切替を指示するようにしてもよい。
【００５６】
また、このような静止画像受付部２３が静止画像のデータを受信したときの選択部２２に静止画像への切替を指示するか否かを、ユーザが設定できるようにしてもよいし、通信部５０４がインターネット、ホームネットワークなど、どのようなネットワークに接続されているか、あるいは、表示部２１が２画面モードで表示しているか否かに基づき、決定するようにしてもよい。
【００５７】
なお、本実施形態において、チューナ部５２が受信する信号は、地上デジタル放送の放送波であるとして説明したが、ＢＳ（Ｂｒｏａｄｃａｓｔ  Ｓａｔｅｌｌｉｔｅ；放送衛星）デジタル放送の放送波であってもよいし、ＣＳ（Ｃｏｍｍｕｎｉｃａｔｉｏｎ  Ｓａｔｅｌｌｉｔｅ；通信衛星）デジタルの放送波であってもよいし、ＣＡＴＶ（Ｃａｂｌｅ  ＴＶ）の信号であってもよいし、インターネットなどのネットワークを介して受けた信号であってもよい。また、チューナ部５２は、復調した映像信号をリアルタイムに出力してもよいし、ハードディスクなどの記憶装置を備えており、このハードディスクに記憶しておいた映像信号を出力するようにしてもよい。また、チューナボックス装置５０は、チューナ部５２を備えていなくてもよく、ブラウザ５１、チューナ部５２、外部入力部５３のように、動画像の映像信号を出力する機能を有して入ればよい。
【００５８】
このように、静止画像を表示させる指示操作を受けたときは、選択指示部５７が、静止画像を選択させる制御信号を、映像Ｉ／Ｆ部５４、２４を介して選択部２２に出力し、これを受けた選択部２２が、静止画像の映像信号を、画像合成部２９を介して表示部２１に出力する。このような構成により、モニタ装置２０とチューナボックス装置５０との２装置で構成された製品であるテレビジョン受像システムのモニタ装置２０に、赤外線受光部２６などの静止画像データの入力インターフェースを設けることができる。
【００５９】
また、このように、静止画像を表示させる指示操作を受けたときは、選択指示部５７が、静止画像を選択させる制御信号を、映像Ｉ／Ｆ部５４、２４を介して選択部２２に出力し、これを受けた選択部２２が、静止画像の映像信号を、画像合成部２９を介して表示部２１に出力する。また、選択部２２が静止画像の映像信号を選択し表示部２１に表示させているときに、指示受付部５９が入力切替メニューのメニュー画像の表示を指示する指示操作を受け付けると、選択指示部５７がモニタ装置２０の選択部２２に動画像の映像信号の選択を指示する制御信号を出力する。このとき、チューナボックス装置５０で生成する入力切替メニューの選択候補に、チューナボックス装置５０の他の入力元と並列に、赤外線受光部２６などの静止画像データの入力インターフェースを挙げておくことができる。
これにより、ユーザは、モニタ装置２０とチューナボックス装置５０とのどちら側が、表示させる画像の入力元であるかを意識することなく操作をすることができる。
【００６０】
なお、本実施形態において、モニタ装置２０が静止画像のデータの入力を受け付け、チューナボックス装置５０がモニタ装置２０に動画像を出力しているが、本発明は、これに限らず、例えば、モニタ装置２０が動画像のデータを受け付けてもよいし、チューナボックス装置５０がモニタ装置２０に静止画像を出力してもよい。
【００６１】
また、図１における選択部２２、静止画像生成部２７、メニュー合成部２８、画像合成部２９、ブラウザ５１、画像合成部５５、選択部５６、選択指示部５７、メニュー生成部５８、指示受付部５９の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００６２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６３】
以上、この発明の実施形態について図面を参照して詳述してきたが、具体的な構成はこの実施形態に限られるものではなく、この発明の要旨を逸脱しない範囲の設計変更等も含まれる。
【産業上の利用可能性】
【００６４】
本発明は、モニタ装置とチューナボックス装置との２装置で構成された製品であるテレビジョン受像システムに用いて好適であるが、これに限定されない。
【符号の説明】
【００６５】
１０…デジタルカメラ
２０…モニタ装置
２１…表示部
２２…選択部
２３…静止画像受付部
２４…映像Ｉ／Ｆ部
２５…リモコン受信部
２６…赤外線受光部
２７…静止画像生成部
２８…メニュー生成部
２９…画像合成部
３０、４０…リモコン
５０…チューナボックス装置
５１…ブラウザ
５２…チューナ部
５３…外部入力部
５４…映像Ｉ／Ｆ部
５５…画像合成部
５６…選択部
５７…選択指示部
５８…メニュー生成部
５９…指示受付部
６０…リモコン受信部
７０…インターネット
８０…テレビアンテナ
９０…ＤＶＤプレーヤ
２０１…フレームメモリ
２３１、５０１…ＣＰＵ
２３２、５０２…ＲＡＭ
２３３、５０３…不揮発性メモリ
５０４…通信部
５０５…フレームメモリ
【図１】
2010023900.tif 000003
【図２】
2010023900.tif 000004
【図３】
2010023900.tif 000005
【図４】
2010023900.tif 000006
【図５】
2010023900.tif 000007
【図６】
2010023900.tif 000008
【図７】
2010023900.tif 000009
【手続補正書】
【提出日】平成23年4月13日(2011.4.13)
【手続補正１】
【補正対象書類名】特許請求の範囲
【補正対象項目名】全文
【補正方法】変更
【補正の内容】
【特許請求の範囲】
【請求項１】
画像を表示するモニタ装置と、ＨＤＭＩインターフェースにより前記モニタ装置に接続され、前記モニタ装置に第１の映像信号を出力するチューナボックス装置とを備える画像再生システムにおいて、
前記モニタ装置は、
画像のデータの外部からの入力を受け付けて、該画像の映像信号である第２の映像信号を生成する画像受付部と、
前記チューナボックス装置から前記ＨＤＭＩインターフェースによる前記第１の映像信号および制御信号の入力を受け付ける画像入力インターフェース部と、
前記第１の映像信号と前記第２の映像信号とから、前記制御信号により指定された映像信号を選択する選択部と、
前記選択部が選択した映像信号の画像を表示する表示部と
を具備し、
前記チューナボックス装置は、
ユーザによる指示操作を受け付ける指示受付部と、
前記指示受付部が、前記モニタ装置が受け付けた画像の表示を指示する指示操作を受け付けると、前記モニタ装置の選択部に前記第２の映像信号の選択を指示する前記制御信号を生成する選択指示部と
前記指示操作に基づき、前記指示操作の選択候補を表示するメニュー画像のデータを生成するメニュー生成部と、
前記メニュー生成部が前記メニュー画像のデータを生成したときは、当該装置が取得した映像信号と前記メニュー画像とを合成することで前記第１の映像信号を生成して出力し、前記メニュー画像のデータを生成していないときは、当該装置が取得した映像信号を前記第１の映像信号として出力する画像合成部と、
前記画像合成部が出力した前記第１の映像信号および前記制御信号を前記ＨＤＭＩインターフェースにより前記モニタ装置に出力する画像出力インターフェース部と、
を具備し、
前記選択指示部は、前記モニタ装置の選択部が前記第２の映像信号を選択しているときに、前記指示受付部が前記メニュー画像の表示を指示する指示操作を受け付けると、前記モニタ装置の選択部に前記第１の映像信号の選択を指示する前記制御信号を生成すること
を特徴とする画像再生システム。
【請求項２】
前記指示受付部は、前記メニュー画像中のメニュー項目のうち、前記第２の映像信号に対応するメニュー項目については、該メニュー項目の画面へ遷移する指示操作を受け付けると、前記モニタ装置の選択部に前記第２の映像信号の選択を指示する前記制御信号を、前記選択指示部が出力するように制御すること、
を特徴とする請求項１に記載の画像再生システム。
【請求項３】
前記画像合成部は、前記メニュー画像中のメニュー項目のうち、前記第２の映像信号に対応するメニュー項目を選択する指示操作を前記指示受付部が受け付けると、前記メニュー画像と予め設定された画像とが合成された画像の信号を前記第１の映像信号として出力することを特徴とする請求項１に記載の画像再生システム。
【請求項４】
前記画像受付部は、赤外線通信によりデータを入力するためのインターフェースを有することを特徴とする請求項１に記載の画像再生システム。
【請求項５】
前記画像受付部は、メモリ媒体によりデータを入力するためのインターフェースを有することを特徴とする請求項１記載の画像再生システム。
【請求項６】
前記モニタ装置は、ユーザが遠隔操作装置に入力した指示操作を表す信号を受信する指示受信部を備え、
前記チューナボックス装置の指示受付部は、前記指示受信部が受信した指示操作を表す信号を、前記画像出力用インターフェースを介して受け付けること
を特徴とする請求項１に記載の画像再生システム。
【請求項７】
前記指示受付部は、前記モニタ装置の選択部が前記第２の映像信号を選択しているときに、前記指示操作を受け付けると、該指示操作を表す信号を、前記画像出力用インターフェースを介して前記モニタ装置に出力し、
前記モニタ装置の画像受付部は、前記画像出力用インターフェースを介して前記指示操作を表す信号を受け付けて、該指示操作に従い動作すること
を特徴とする請求項６に記載の画像再生システム。
【請求項８】
前記チューナボックス装置は、前記モニタ装置の選択部が前記第２の映像信号を選択しているときは、不必要な機能を休止させて消費電力を抑える省電力モードになることを特徴とする請求項１に記載の画像再生システム。
【請求項９】
画像を表示するモニタ装置と、ＨＤＭＩインターフェースにより前記モニタ装置に接続され、前記モニタ装置に第１の映像信号を出力するチューナボックス装置とを備える画像再生システムにおける表示画像切替方法において、
前記チューナボックス装置が、ユーザによる指示操作に基づき、前記指示操作の選択候補を表示するメニュー画像のデータを生成する第１の過程と、
前記チューナボックス装置が、前記第１の過程にて前記メニュー画像のデータを生成したときは、当該装置が取得した映像信号と前記メニュー画像とを合成することで前記第１の映像信号を生成し、前記メニュー画像のデータを生成していないときは、当該装置が取得した映像信号を前記第１の映像信号とする第２の過程と、
前記チューナボックス装置が、前記第１の映像信号を前記ＨＤＭＩインターフェースにより前記モニタ装置に出力する第３の過程と、
前記モニタ装置が、前記チューナボックス装置から前記ＨＤＭＩインターフェースによる前記第１の映像信号の入力を受け付ける第４の過程と、
前記モニタ装置が、前記第１の映像信号の画像を表示する第５の過程と
前記チューナボックス装置が、ユーザによる指示操作であって、前記モニタ装置が入力を受け付けた画像の表示を指示する指示操作を受け付ける第６の過程と、
前記チューナボックス装置が、前記モニタ装置が入力を受け付けた画像の映像信号である第２の映像信号の選択を指示する制御信号を、前記ＨＤＭＩインターフェースにより前記モニタ装置に出力する第７の過程と、
前記モニタ装置が、画像のデータの外部からの入力を受け付けて、該画像の第２の映像信号を生成する第８の過程と、
前記モニタ装置が、前記第７の過程にて出力された制御信号を受けて、前記第１の映像信号と前記第２の映像信号とから、前記第２の映像信号を選択する第９の過程と、
前記モニタ装置が、前記第９の過程にて選択した第２の映像信号の画像に表示を切替える第１０の過程と
を備えることを特徴とする表示画像切替方法。
【請求項１０】
画像のデータの外部からの入力を受け付けて、該画像の映像信号である第２の映像信号を生成する画像受付部と、
当該装置に接続されたチューナボックス装置からＨＤＭＩインターフェースによる第１の映像信号および制御信号の入力を受け付ける画像入力インターフェース部と、
前記第１の映像信号と前記第２の映像信号との中から、前記チューナボックス装置からの前記制御信号により指定された映像信号を選択する選択部と、
前記選択部が選択した映像信号の画像を表示する表示部と
を具備することを特徴とするモニタ装置。
【請求項１１】
画像を表示するモニタ装置にＨＤＭＩインターフェースにより接続され、前記モニタ装置に第１の映像信号を出力するチューナボックス装置であって、
ユーザによる指示操作を受け付ける指示受付部と、
前記指示受付部が、前記モニタ装置が受け付けた画像の表示を指示する指示操作を受け付けると、前記モニタ装置に前記受け付けた画像の映像信号の選択を指示する制御信号を生成する選択指示部と
前記指示操作に基づき、前記指示操作の選択候補を表示するメニュー画像のデータを生成するメニュー生成部と、
前記メニュー生成部が前記メニュー画像のデータを生成したときは、当該装置が取得した映像信号と前記メニュー画像とを合成することで前記第１の映像信号を生成して出力し、前記メニュー画像のデータを生成していないときは、当該装置が取得した映像信号を前記第１の映像信号として出力する画像合成部と、
前記画像合成部が出力した前記第１の映像信号および前記制御信号を前記ＨＤＭＩインターフェースにより前記モニタ装置に出力する画像出力インターフェース部と、
を具備し、
前記選択指示部は、前記モニタ装置の選択部が前記第２の映像信号を選択しているときに、前記指示受付部が前記メニュー画像の表示を指示する指示操作を受け付けると、前記モニタ装置の選択部に前記第１の映像信号の選択を指示する前記制御信号を生成すること
を特徴とするチューナボックス装置。
【国際調査報告】
2010023900.tif 000010
2010023900.tif 000011